(57)【特許請求の範囲】
【請求項１】
第１の記録媒体をローディングする第１のローディング手段と、
上記第１の記録媒体と大きさが異なる第２の記録媒体をローディングする第２のローディング手段と、
上記第１のローディング手段によってローディングされる上記第１の記録媒体又は上記第２のローディング手段によってローディングされる上記第２の記録媒体を駆動する駆動手段と、
上記第２の記録媒体を上記第２のローディング手段によってローディングする際に、上記第１のローディング手段を上記第２のローディング手段による上記第２の記録媒体のローディング経路外の退避位置へ退避させる退避機構とを有する
ことを特徴とする記録媒体駆動装置。
【請求項２】
上記記録媒体に記録される情報を読み取る読み取り手段を設けたメカデッキを備え、該メカデッキと上記駆動手段とを上記第１及び第２のローディング手段のローディング方向に対してほぼ直交する方向に出入りさせる手段を有する
ことを特徴とする請求項１に記載の記録媒体駆動装置。
【請求項３】
上記第１の記録媒体をディスクカートリッジで構成し、
上記第２の記録媒体を上記ディスクカートリッジより大径のディスクで構成した
ことを特徴とする請求項１に記載の記録媒体駆動装置。
【請求項４】
上記退避機構は、上記第２のローディング手段をローディング方向にスライドさせるスライダー機構を備える
ことを特徴とする請求項１に記載の記録媒体駆動装置。
【請求項５】
上記第１の記録媒体と上記第２の記録媒体が挿入される挿入口が、上記第１の記録媒体と上記第２の記録媒体との挿入位置が同じ高さとなるように構成された
ことを特徴とする請求項１に記載の記録媒体駆動装置。
【請求項６】
上記第２の記録媒体の挿入が優先される状態において、上記第１の記録媒体の挿入を禁止する誤挿入禁止部を有する
ことを特徴とする請求項１に記載の記録媒体駆動装置。
【発明の詳細な説明】
【０００１】
【発明の属する技術分野】
本発明は、光ディスクドライブ等に適用するのに最適なディスクドライブ等の記録媒体駆動装置に関し、特に、ＭＤ（ミニディスク）カートリッジや裸のＣＤ（コンパクトディスク）等の２種類の記録媒体を選択的に記録及び／又は再生することができるようにした記録媒体駆動装置の技術分野に属するものである。
【０００２】
【従来の技術】
従来、ＭＤカートリッジと裸のＣＤとを１台のディスクドライブで選択的に記録及び／又は再生することができるようにするために、ＭＤカートリッジ及び裸のＣＤを別々にチャッキングする２つのスピンドルモータを用いるようにしたディスクドライブが考えられている。その際、２つのスピンドルモータを左右に並べて配置し、１つの光学ピックアップをこれら２つのスピンドルモータ間で左右方向に移動させるように構成されていた。
【０００３】
【発明が解決しようとする課題】
しかし、従来のこの種ディスクドライブでは、ＭＤカートリッジ及び裸のＣＤをそれぞれ独立してローディングする２つのローディング機構を左右に並べて配置しなければならず、大きなスペースが必要となる上に、スピンドルモータが２個必要になる等、ディスクドライブ全体の大型、大重量化と共に、部品点数及び組立工数が非常に多くなって、著しいコストアップを招いている。また、ＭＤカートリッジ及び裸のＣＤを１個所で出し入れすることは到底できないものであった。
【０００４】
本発明は、上記の問題を解決するためになされたものであって、ＭＤカートリッジや裸のディスク等の２種類の記録媒体を選択的に記録及び／又は再生することができる記録媒体駆動装置の小型、軽量化及び低コスト化を図ることができるようにするものである。
【０００５】
【課題を解決するための手段】
上記の目的を達成するための本発明の記録媒体駆動装置は、第１の記録媒体をローディングする第１のローディング手段と、上記第１の記録媒体と大きさが異なる第２の記録媒体をローディングする第２のローディング手段と、上記第１のローディング手段によってローディングされる上記第１の記録媒体又は上記第２のローディング手段によってローディングされる上記第２の記録媒体を駆動する駆動手段と、上記第２の記録媒体を上記第２のローディング手段によってローディングする際に、上記第１のローディングを上記第２のローディング手段による上記第２の記録媒体のローディング経路外の退避位置へ退避させる退避機構とを有するものである。
【０００６】
上記のように構成された本発明の記録媒体駆動装置は、大きさが異なる第１及び第２の記録媒体を選択的にローディングすることができ、第２の記録媒体が選択的にローディングされる際には、退避機構によって第１のローディング手段を第２の記録媒体のローディング経路外へ退避させることができる。
【０００７】
【発明の実施の形態】
以下、本発明を適用したディスクドライブの実施の形態を図を参照して説明する。なお、この実施の形態で説明するディスクドライブは、２種類のディスク状記録媒体であるＭＤカートリッジと裸のＣＤを選択的に記録及び／又は再生するための光ディスクドライブを示しており、この光ディスクドライブについて、以下の順序で説明する。
（１）・・・  フロントパネルのスロットイン挿入口に関する説明
（２）・・・  ローディング手段に関する説明
（３）・・・  ディスクテーブルに関する説明
（４）・・・  チャッキングプーリに関する説明
（５）・・・  メカデッキ及びスピンドルモータ昇降装置に関する説明
【０００８】
（１）・・・  フロントパネルのスロットイン挿入口に関する説明
まず、図１〜図８に示すように、厚みが大きく、幅が小さい第１のディスク状記録媒体の一例としてＭＤ（ミニディスク）カートリッジ１が使用されていて、このＭＤカートリッジ１内には直径が６４ｍｍのＭＤ（ミニディスク）２が回転自在に収納されている。また、厚みが小さく、幅が大きい第２のディスク状記録媒体の一例として直径が１２０ｍｍの裸のＣＤ（コンパクトディスク）１１が使用されている。
【０００９】
そして、光ディスクドライブ２１の合成樹脂で成形されたフロントパネル２２には、ＭＤカートリッジ１を矢印ａ1 方向から挿入するための厚みＴ1 が大きく、幅Ｗ1 が小さい横長で水平な第１のスロットイン挿入口２３と、裸のＣＤ（以下、単にＣＤと記載する）１１を同じく矢印ａ1 方向からスロットイン方式で挿入するための厚みＴ2 が小さく、幅Ｗ2 が大きい横長で水平な第２のスロットイン挿入口２４が形成されている。この際、これら第１及び第２の挿入口２３、２４をこれらの厚み方向に重なるように配置している。詳しくは、これら第１及び第２の挿入口２３、２４の厚み方向（上下方向）のセンターＰ1 を一致させて、これら第１及び第２のスロットイン挿入口２３、２４を同一高さ位置に配置している。そして、これら第１及び第２のスロットイン挿入口２３、２４の幅方向（左右方向）のセンターＰ2 については、ＭＤカートリッジ１内のＭＤ２のセンターとＣＤ１１のセンターとを一致させる位置に配置させている。従って、幅Ｗ2 の大きい第２のスロットイン挿入口２４の幅方向の両端が幅Ｗ1 の小さい第１の挿入口２５の左右両側に張り出した形状に形成されている。なお、ＣＤ１１のスロットイン挿入時に、そのＣＤ１１の厚み方向のセンターをＭＤカートリッジ１の厚み方向のセンターに一致させることができるように、第２のスロットイン挿入口２４の左右両端部の上下両側に左右ほぼ対称形状のテーパー面２４が形成されている。
【００１０】
そして、フロントパネル２２には、電源スイッチ２５、ＭＤ２及びＣＤ１１の使用状況を表示する２つのランプ２６、２７、これらのランプ２６、２７の切換スイッチ２８、イジェクトスイッチ２９等が設けられている。そして、この光ディスクドライブ２１では、ＭＤカートリッジ１及びＣＤ１１の何れか一方の挿入を優先させる方式として、ＣＤ１１の挿入を優先（ＣＤ１１の挿入が常に自由であること）させる一方、ＭＤカートリッジ１の不用意な挿入を禁止する方式が採用されている。
【００１１】
そこで、そのＭＤカートリッジ１の不用意な挿入を禁止する禁止手段３０がフロントパネル２２の内側に取り付けられている。この挿入禁止手段３０には上下一対の挿入禁止用シャッター３１が使用されている。これら上下一対の挿入禁止用シャッター３１は合成樹脂で、上下対称形状に成形されていて、これら上下一対の挿入禁止用シャッター３１はフロントパネル２２の内側に上下一対の支点ピン３２を介して上下方向である矢印ｂ1 、ｂ2 方向に対称状に回転自在に取り付けられている。そして、これら上下一対の挿入禁止用シャッター３１はフロントパネル２２の内側との間に架け渡された上下一対の回転付勢手段である引張コイルバネからなるシャッターバネ３３によって矢印ｂ1 方向に回転付勢されて、フロントパネル２２の内側に一体成形された上下一対のストッパー３４に当接して停止されるように構成されている。そして、これら上下一対の挿入禁止用シャッター３１が矢印ｂ1 方向から上下一対のストッパー３４に当接された状態で、これら上下一対の挿入禁止用シャッター３１の一端に一体成形した挿入禁止用突起３１ａが第１のスロットイン挿入口２３の幅方向のほぼ中央位置Ｐ3 で、その第１のスロットイン挿入口２３の内側に上下から入り込むように構成されている。但し、これら上下一対の挿入禁止用突起３１ａは、厚みＴ2 が小さい第２のスロットイン挿入口２４に対してはその上下方向に逃がされていて、厚みＴ1 が大きい第１のスロットイン挿入口２３に対してのみ、その上下方向の内側に入り込んだ状態となっている。そして、これら上下一対の挿入禁止用シャッター３１の他端には、ピン形状に形成された一対の挿入解除用突起３１ｂが一体成形されている。
【００１２】
そして、フロントパネル２２の内側には、上下一対の挿入禁止用シャッター３１を開蓋方向である矢印ｂ2 方向に対称状に同時に回転して、ＭＤカートリッジ１の挿入禁止状態を解除する解除手段３６が設けられている。なお、この解除手段３６は後述するＭＤローディング装置４１におけるカートリッジホルダー４２の一方の側面の前端に前向きに取り付けられた垂直状の解除板３７で構成されている。そして、この解除板３７の前端にはほぼコ字状の切欠き３８が形成されていて、この切欠き３８の上下両端３８ａの前端には前方（矢印ａ2 方向）に向って末広がり状のテーパー面３８ｂが形成されている。
【００１３】
この光ディスクドライブ２１のフロントパネル２２に形成された第１及び第２の挿入口２３、２４、挿入挿入禁止手段３０や解除手段３６は以上のように構成されている。
従って、この光ディスクドライブ２１によれば、ＭＤカートリッジ１とＣＤ１１の２種類のディスク状記録媒体を第１及び第２の挿入口２３、２４から同一高さ位置にてスロットイン方式で矢印ａ1 方向から選択的に挿入することができるものであり、これら第１及び第２の挿入口２３、２４を例えば上下２段に配置するものに比べて、この光ディスクドライブ２１全体の薄型化を図ることができ、これら第１及び第２の挿入口２３、２４を例えば左右に並べて配置するものに比べて、この光ディスクドライブ２１の小幅化を図ることができる。
【００１４】
ところで、この光ディスクドライブ２１は、前述したように、ＣＤ１１の挿入が優先されていて、ＭＤカートリッジ１の不用意な挿入を禁止している。
即ち、使用者が電源スイッチ２５をＯＮして電源を投入すると、図２に示すように、ＭＤランプ２６が消灯していて、ＣＤランプ２７が点灯し、常に、ＣＤ挿入優先モードに設定されると共に、そのＣＤ挿入が優先されていることをＣＤランプ２７によって使用者に表示する。そして、このＣＤ挿入の優先状態では、ＣＤ１１を第２のスロットイン挿入口２４から矢印ａ1 方向にスロットイン方式で挿入する際、そのＣＤ１１を上下一対の挿入禁止用シャッター３１の挿入禁止用突起３１ａの上下間の隙間を通すようにして、そのＣＤ１１を自由に挿入することができる。そして、その挿入されたＣＤ１１は後述するＣＤローディング装置７１によってＭＤ、ＣＤ共通のチャッキング位置までローディングされることになる。
【００１５】
但し、ＭＤカートリッジ１を第１のスロットイン挿入口２３から矢印ａ1 方向にスロットイン方式で挿入しようとすると、そのＭＤカートリッジ１が上下一対の挿入禁止用シャッター３１の上下一対の挿入禁止用突起３１ａに当接されるので、そのＭＤカートリッジ１の不用意な挿入を禁止することができる。
【００１６】
次に、使用者が切換スイッチ２８を押すと、図３に示すように、ＣＤランプ２７が消灯する一方、ＭＤランプ２６が点灯して、ＭＤ優先モードに切り換えられ、そのＭＤ挿入が優先されることをＭＤランプ２６によって使用者に表示する。そして、このＭＤ挿入の優先時には、図６及び図７に示すように、後述するＭＤローディング装置４１のカートリッジホルダー４２がフロントパネル２２の内側に近接されたＭＤカートリッジ１の受取り位置まで矢印ａ2 方向から前進して停止する。そして、そのカートリッジホルダー４２の一方の側面に取り付けられている解除板３７の切欠き３８が上下一対の挿入禁止用シャッター３１の挿入解除用突起３１ｂの上下両側に矢印ａ2 方向から係合される。この時、上下一対の挿入解除用突起３１ｂが上下一対のテーパー面３８ｂで誘導されて、上下両端３８ａまで矢印ｂ2 方向に相互に引き寄せられることになって、図３及び図６に示すように、上下一対の挿入禁止用シャッター３１が上下一対のシャッターバネ３３に抗して矢印ｂ2 方向に対称状に回転されて、上下一対の挿入禁止用突起３１ａが第１のスロットイン挿入口２３の上下両側に逃がされる。
【００１７】
従って、このＭＤ挿入の優先状態では、第１のスロットイン挿入口２３が開放されていて、ＭＤカートリッジ１をその第１のスロットイン挿入口２３から矢印ａ1 方向にスロットイン方式で自由に挿入することができる。そして、その挿入されたＭＤカートリッジ１はそのままカートリッジホルダー４２内に矢印ａ1 方向に挿入されて保持され、後述するように、そのカートリッジホルダー４２によってＭＤ、ＣＤ共通のチャッキング位置までローディングされることになる。
【００１８】
ところで、この光ディスクドライブ２１内には、ＭＤカートリッジ１内のＭＤ２及びＣＤ１１の何れか一方を記録及び／又は再生している間は、ＭＤカートリッジ１及びＣＤ１１の誤挿入を禁止する誤挿入禁止手段が設けられている。即ち、第１及び第２の挿入口２３、２４を同一高さ位置に配置したことによって、ＭＤ２の記録及び／又は再生中はＭＤカートリッジ１が誤挿入禁止手段となり、ＣＤ１１の記録及び／又は再生中は、ＣＤ１１が誤挿入禁止手段となり、ＭＤカートリッジ１及びＣＤ１１の誤挿入を禁止することができる。
【００１９】
（２）・・・  ローディング手段に関する説明
次に、図９〜図２０、図２２〜図２４、図２６〜図２８、図３２〜図３４に示すように、この光ディスクドライブ２１の内部には、２種類のディスク状記録媒体のローディング手段を構成しているＭＤローディング装置４１と、ＣＤローディング装置７１が組み込まれている。
【００２０】
そして、図９〜図１４、図２２〜図２４に示すように、ＭＤローディング装置４１は板金等にて構成されたカートリッジホルダー４２を備えていて、このカートリッジホルダー４２は水平な天板部４２ａと、その天板部４２ａの左右両側縁から下方及び内側へほぼコ字状に折り返された左右両側板部４２ｂとによって全体としてほぼコ字状に形成されている。そして、ＭＤカートリッジ１がこのカートリッジホルダー４２の天板部４２ａの下部で左右両側板部４２ｂ間に矢印ａ1 、ａ2 方向から出し入れ自在に水平に挿入されて保持されるように構成されている。なお、天板部４２ａの前端にはＣＤ１１に対する逃げ用の円弧状切欠き４３が形成されている。
【００２１】
そして、図６に示すように、このカートリッジホルダー４２の一方の側板部４２ｂの内側にはＭＤカートリッジ１のシャッター４を開蓋するためのシャッター開蓋用の小突起４４が設けられている。また、図７に示すように、このカートリッジホルダー４２の天板部４２ａの上部には、左右一対のカートリッジ押え用の板バネ４５と、カートリッジイジェクト用のイジェクトレバー４６と、そのイジェクトレバー４６のロックレバー４７等が取り付けられている。そして、イジェクトレバー４６は支点ピン４８を介して水平面内で矢印ｃ1 、ｃ2 方向に回転自在に取り付けられていて、天板部４２ａとの間に架け渡された引張コイルバネであるイジェクトバネ４９によって矢印ｃ2 方向に回転付勢されている。そして、このカートリッジイジェクトレバー４５の後端の下部に垂直状に取り付けられたイジェクトピン５０が天板部４２ａより下方に突出されていて、このイジェクトピン５０が天板部４２ａの後端のほぼ中央部に形成された切欠き５１に矢印ｃ2 方向から当接されて、イジェクトレバー４６の矢印ｃ2 方向の停止位置が規制されている。また、ロックレバー４７は天板部４２ａ上の２本のガイドピン５２によって案内されて矢印ｄ1 、ｄ2 方向にスライド自在に構成されていて、天板部４２ａとの間に架け渡された引張コイルバネであるロックバネ５３によって矢印ｄ1 方向にスライド付勢されている。そして、このロックレバー４７の一端上に取り付けられたロックピン５４がイジェクトレバー４６に形成された支点ピン４８を中心とする円弧状アーム４６ａに矢印ｃ1 方向から押圧されていて、このロックレバー４７の他端上にはロック解除ピン５５が垂直状に取り付けられている。
【００２２】
そして、図９〜図１４、図２２〜図２４に示すように、カートリッジホルダー４２の他方の側面が板金等にて構成されたＭＤスライダー５７に取り付けられて片側支持され、このカートリッジホルダー４２が前述した第１のスロットイン挿入口２３の真後ろ位置に水平状に配置されている。そして、板金にてほぼコ字状に構成されたメインシャーシ５８内で、その底板部５８ａ上の一側部に前後一対の支持台５９を介して２本のガイド軸６０がローディング方向である矢印ａ1 、ａ2 方向と平行で水平状に架設されていて、ＭＤスライダー５７が一対のスラスト軸受６１を介してこれら２本のガイド軸６０に沿って矢印ａ1 、ａ2 方向にスライド自在に取り付けられている。そして、前後一対の支持台５９に回転自在に取り付けられた前後一対のタイミングプーリ６２間にタイミングベルト６３がガイド軸６０と平行状に架設されていて、そのタイミングベルト６３の上側経路部分の一部がＭＤスライダー５７に固定されている。そして、メインシャーシ５８の底板部５８ａ上に取り付けられたＭＤローディングモータ６４によってギアトレイン６５を介して一方のタイミングプーリ６２が回転駆動されることによって、タイミングベルト６３を矢印ａ1 、ａ2 方向に回転駆動するように構成されている。
【００２３】
即ち、このＭＤローディング装置４１は、ＭＤローディングモータ６４によってタイミングベルト６３を矢印ａ1 、ａ2 方向に回転駆動することによって、ＭＤスライダー５７を２本のガイド軸６０に沿って矢印ａ1 、ａ2 方向にスライド駆動して、そのＭＤスライダー５７と一体にカートリッジホルダー４２をＭＤ、ＣＤ共通のローディングセンターＰ11（但し、このローディングセンターＰ11は前述した第１及び第２の挿入口２３、２４の厚み方向のセンターＰ1 及び幅方向のセンターＰ2 に一致されている）に沿って矢印ａ1 、ａ2 方向に水平移動させるように構成したものである。そして、このＭＤローディング装置４１はＭＤカートリッジ１の退避機構を兼用している。
【００２４】
次に、図１５〜図２３、図２６〜図２８、図３０〜図３２に示すように、ＣＤローディング装置７１は、メインシャーシ５８の左右両側板部５８ｂの上端部間に水平に取り付けられ、板金によって構成されている支持部材であるＣＤメカシャーシ７２の下部に水平状に取り付けられている。即ち、板金によってほぼコ字状に構成されて、ローディングセンターＰ11と平行で、かつ、左右ほぼ対称状に配置された左右一対のスライダーガイド７３、７４がカートリッジホルダー４２の左右両側位置に水平状に配置されている。そして、これら左右一対のスライダーガイド７３、７４がそれぞれこれらの上部に取り付けられた３つのフランジ付ガイドピン７５、７６によってＣＤメカシャーシ７２に形成されているそれぞれ３つのガイド溝７７、７８にスライド自在に係合されて、これら左右一対のスライダーガイド７３、７４がＣＤメカシャーシ７２の下部位置でローディングセンターＰ11に直交する左右方向である矢印ｅ1 、ｅ2 方向に平行運動によって対称状にスライド自在に架設されている。
【００２５】
そして、合成樹脂によってほぼ角柱状に成形されたスライダーである左右一対のＣＤスライダー７９、８０が左右一対のスライダーガイド７３、７４に沿ってローディングセンターＰ11と平行な矢印ａ1 、ａ2 方向にスライド自在に取り付けられている。そして、これら左右一対のＣＤスライダー７９、８０の対向面７９ａ、８０ａにはＣＤホールド用の左右一対の凹溝８１、８２がローディングセンターＰ11と平行で、水平状に形成されていて、これら左右一対の凹溝８１、８２が前述した第２のスロットイン挿入口２４の左右両端部の真後ろ位置に水平状に対向されている。
【００２６】
そして、一方のＣＤスライダー７９の上端部に固着されて他方のＣＤスライダー８０側へ直角で、水平状に延出されたスライダー連結板８３がその他方のＣＤスライダー８０の上端部に一体成形されたローディングセンターＰ11に対して直角状のスライド用突起８４にスライド用溝８５を介して矢印ｅ1 、ｅ2 方向にスライド自在に係合されている。即ち、このスライダー連結板８３は左右一対のＣＤスライダー７９、８０のローディングセンターＰ11に対して直交する方向（矢印ｅ1 、ｅ2 方向）の相対的なスライドを許しながら、これら左右一対のＣＤスライダー７９、８０をローディング方向及びイジェクト方向（矢印ａ1 、ａ2 方向）に同時にスライドすることができるように、これら左右一対のＣＤスライダー７９、８０間を連結している。
【００２７】
そして、一方のスライダーガイド７３の内部で、一方のＣＤスライダー７９より外側位置にスライダー駆動手段であるＣＤローディングモータ８７が取り付けられていて、そのＣＤローディングモータ８７によってギアトレイン８８を介して駆動されるラック８９が一方のＣＤスライダー７９の外側面７９ｂに沿ってローディング方向（矢印ａ1 、ａ2 方向）と平行に形成されている。従って、ＣＤローディングモータ８７によってギアトレイン８８を介してラック８９を駆動することによって、一方のＣＤスライダー７９がローディングセンターＰ11と平行に矢印ａ1 、ａ2 方向にスライド駆動され、スライダー連結板８３を介して他方のＣＤスライダー８０が一方のＣＤスライダー７９に同期してローディングセンターＰ11と平行に矢印ａ1 、ａ2 方向にスライド駆動されるように構成されている。
【００２８】
そして、引張コイルバネで構成されたスライド付勢手段であるＣＤホールドバネ９０が左右一対のスライダーガイド７３、７４間にローディング方向に対して直交する状態に架け渡されていて、このＣＤホールドバネ９０によって左右一対のスライダーガイド７３、７４及び左右一対のＣＤスライダー７９、８０がローディングセンターＰ11に対して直交する方向である矢印ｅ1 方向に相対的に近づくようにスライド付勢されている。そして、ＣＤメカシャーシ７２のそれぞれ３つのガイド溝７７の内側端にてそれぞれ３つのガイドピン７５が位置規制されることによって、左右一対のスライダーガイド７３、７４と一体に左右一対のＣＤスライダー７９、８０の間隔が最小間隔Ｓ1 に規定されるように構成されている。そして、この最小間隔では左右一対の凹溝８１、８２の底面８１ａ、８２ａの間隔がＣＤ１１の直径よりも小さくなるように構成されている。
【００２９】
そして、このＣＤローディング装置７１には、左右一対のスライダーガイド７３、７４及びＣＤスライダー７９、８０をＣＤホールドバネ９０に抗して矢印ｅ2 方向に対称状に押し開くためのディスク開放手段であるＣＤ開放機構９１が設けられている。そして、このＣＤ開放機構９１は、左右一対のスライダーガイド７３、７４の上端部からローディングセンターＰ11に対して直交する方向（矢印ｅ1 、ｅ2 方向）に延出されて、前後方向（矢印ａ1 、ａ2 方向）に間隔を隔てて平行状に配置された左右一対のラックアーム９２、９３と、これら左右一対のラックアーム９２、９３の前後方向（矢印ａ1 、ａ2 方向）の対向縁に沿って平行状に形成された一対のラック９４、９５と、これら左右一対のラックアーム９２、９３間に配置されてＣＤメカシャーシ７２の下部に支軸９６を介して回転自在に取り付けられ、前後方向（矢印ａ1 、ａ2 方向）の両側が一対のラック９４、９５に係合されたピニオン９７とによって構成されたラック・ピニオン機構９８を有している。そして、図３６及び図３７に示すように、後述するメカデッキ及びスピンドルモータ昇降装置１５２によって回転駆動されるベルクランク形状の駆動レバー９９と、他方のスライダーガイド７４の下部に垂直状に取り付けられて、駆動レバー９９によって矢印ｅ2 方向にスライド駆動される被駆動ピン１０１とによって構成された開放駆動機構１０２が併用されている。
【００３０】
そして、このＣＤローディング装置７１には、ディスクストッパーである左右一対のＣＤストッパー１０４、１０５が設けられていて、これら左右一対のＣＤストッパー１０４、１０５は左右一対のスライダーガイド７３、７４の下端部で、矢印ａ1 方向側に偏位された位置に形成された左右一対のストッパーアーム１０６、１０７の上部に垂直状に取り付けられている。従って、これら左右一対のＣＤストッパー１０４、１０５は左右一対のスライダーガイド７３、７４と一体に矢印ｅ1 、ｅ2 方向に対称状にスライドされるように構成されている。
【００３１】
ＭＤローディング装置４１及びＣＤローディング装置７１は、以上のように構成されている。そして、図２で説明したように、電源の投入後で、ＣＤランプ２７が点灯したＣＤ優先状態では、図１０に示すように、カートリッジホルダー４２が矢印ａ1 方向の最も後方位置である退避位置まで退避されていて、ＣＤローディング装置７１によるＣＤローディング経路（ＣＤ１１をローディングするためのスペースを言う）が開放され、左右一対のＣＤスライダー７９、８０は図１７、図１８及び図３０に示すイジェクト位置まで矢印ａ2 方向にスライドされている。
【００３２】
そこで、フロントパネル２２の第２のスロットイン挿入口２４からＣＤ１１を矢印ａ1 方向にスロットイン方式で水平に挿入して、ＣＤローディングを開始する。この際、図３０に１点鎖線で示すように、左右一対のＣＤスライダー７９、８０がＣＤホールドバネ９０によって矢印ｅ1 方向に相対的に引き寄せられて、これら左右一対のＣＤスライダー７９、８０の間隔がＣＤ１１の直径よりも小さい最小間隔Ｓ1 に設定されている状態で、第２のスロットイン挿入口２４から矢印ａ1 方向に挿入されたＣＤ１１の外周面１１ａの左右両側がこれら左右一対のＣＤスライダー７９、８０の左右一対の凹溝８１、８２内にそのままスロットイン方式で水平に挿入される。そして、図１７及び図３０に実線で示すように、ＣＤ１１が左右一対の凹溝８１、８２内にその半径相当分の深さに挿入された時に、そのＣＤ１１の外周面１１ａによって左右一対の凹溝８１、８２の底面８１ａ、８２ａが矢印ｅ2 方向に対称状に押圧されて、左右一対のＣＤスライダー７９、８０が左右一対のスライダーガイド７３、７４と一体にＣＤホールドバネ９０に抗して矢印ｅ2 方向に対称状に押し広げられて、左右一対のＣＤスライダー７９、８０の間隔が最小間隔Ｓ1 から中間間隔Ｓ2 に拡大される。
【００３３】
そして、そのＣＤホールドバネ９０の矢印ｅ1 方向への反発力によってＣＤ１１が左右一対のＣＤスライダー７９、８０間で挟持される。なお、この際、ＣＤ１１の外周面１１ａである円弧面によるカム作用によって左右一対のＣＤスライダー７９、８０をＣＤホールドバネ９０に抗して無理なく、スムーズに押し広げることができるので、第２のスロットイン挿入口２４から左右一対のＣＤスライダー７９、８０の凹溝８１、８２内へのＣＤ１１の矢印ａ1 方向への挿入を常時無理なく、スムーズに行うこと（軽い力で、容易に行えること）ができる。しかも、ＣＤ１１は左右一対のＣＤスライダー７９、８０間でＣＤホールドバネ９０のバネ力によって挟持されるので、ＣＤ１１の直径にバラツキがあっても、ＣＤ１１をほぼ一定の挟持力によって安定良く挟持することができる。
【００３４】
そして、このようにして、ＣＤ１１を左右一対のＣＤスライダー７９、８０間で挟持した時に、ＣＤメカシャーシ７２の下部に取り付けられているＣＤインセンサー（図示せず）によって一方のスライダーガイド７３の矢印ｅ2 方向のスライド位置が検出されて、ＣＤインが検出される。
【００３５】
すると、ＣＤローディングモータ８７によってギアトレイン８８を介してラック８９が駆動され、左右一対のＣＤスライダー７９、８０が同時に矢印ａ1 方向にスライド駆動されて、ＣＤ１１が第２のスロットイン挿入口２４から光ディスクドライブ２１の内部へ引き込まれて、ローディングセンターＰ11に沿って矢印ａ1 方向に水平にローディングされる。
【００３６】
そして、図１９、図２０及び図３１に示すＭＤ、ＣＤ共通のチャッキングセンターＰ12までＣＤ１１がローディングされた時に、そのＣＤ１１の外周面１１ａの左右両側近傍位置が左右一対のＣＤストッパー１０４、１０５に矢印ａ1 方向から当接して、ＣＤ１１がそのチャッキングセンターＰ12に停止される。そして、このＣＤ１１の停止直後に、一方のスライダーガイド７３に取り付けられているＣＤローディングセンサー（図示せず）によって一方のＣＤスライダー７９の矢印ａ1 方向のスライド位置が検出されて、ＣＤローディングモータ８７が停止され、ＣＤローディング動作が終了する。
【００３７】
そして、このＣＤローディング動作の終了後に、後述するように、メカデッキ及びスピンドルモータ昇降装置１５２によってＣＤテーブル１１６がＣＤ１１に下方から装着される。そして、そのＣＤテーブル１１６へのＣＤ１１の装着後に、ＣＤ開放機構９１の図３６及び図３７に示す開放駆動レバー９９が他方のスライダーガイド７４の被駆動ピン１０１を矢印ｅ2 方向にスライド駆動する。すると、図３２に示すように、他方のスライダーガイド７４が矢印ｅ2 方向にスライド駆動され、ラック９５によってピニオン９７が矢印ｇ2 方向に回転駆動されて、一方のスライダーガイド７３が矢印ｅ2 方向にスライド駆動されて、これら左右一対のスライダーガイド７３、７４と一体に左右一対のＣＤスライダー７９、８０が矢印ｅ2 方向に対称状に押し開かれる。そして、これら左右一対のＣＤスライダー、８０が中間間隔Ｓ12からＣＤ１１の直径より十分に大きい最大間隔Ｓ3 に拡大されて、これら左右一対の凹溝８１、８２がＣＤ１１の外周面１１ａの左右両側方である矢印ｅ2 方向に抜き取られて、ＣＤ１１が左右一対のＣＤスライダー７９、８０から開放されると共に、左右一対のＣＤストッパー１０４、１０５もＣＤ１１の外周面１１ａから矢印ｅ2 方向に離間される。従って、このＣＤ開放後は、ＣＤ１１を左右一対のＣＤスライダー７９、８０及びＣＤストッパー１０４、１０５に何ら接触させることなく、ＣＤテーブル１１６によって回転駆動することができる。
【００３８】
なお、ＣＤ１１の後述する記録及び／又は再生後のイジェクト時には、使用者がイジェクトスイッチ２９をＯＮすると、ＣＤローディング時の逆動作で、左右一対のＣＤスライダーガイド７９、８０をＣＤホールドバネ９０によって図３０に示す中間間隔Ｓ2 に矢印ｅ1 方向に閉じて、これらの左右一対の凹溝８１、８２内でＣＤ１１の外周面１１ａの左右両側を再び挟持した後、ＣＤローディングモータ８７によってこれら左右一対のＣＤスライダー７９、８０を図３０に示すイジェクト位置まで矢印ａ2 方向に同時にスライド駆動して、ＣＤ１１をフロントパネル２２の第２のスロットイン挿入口２４から外方へ矢印ａ2 に押し出す。そして、使用者がフロントパネル２２の外部で、ＣＤ１１を手でつまんで矢印ａ2 方向に抜き取ることになる。
【００３９】
次に、ＭＤローディング時には、図３で説明したように、使用者が切換スイッチ２８を押して、ＭＤランプ２６を点灯すると、ＭＤ優先状態となる。すると、ＭＤローディングモータ６４によってタイミングベルト６３を介してＭＤスライダー５７が図９に示す位置から図１３及び図７に示す位置まで２本のガイド軸６０に沿って矢印ａ2 方向のスライド駆動されて、カートリッジホルダー４２が図９に示す退避位置から図１３及び図７に示すイジェクト位置まで矢印ａ2 方向に引き出される。
【００４０】
そこで、フロントパネル２２の第１のスロットイン挿入口２３からＭＤカートリッジ１を矢印ａ1 方向にスロットイン方式で水平に挿入して、ＭＤローディングを開始する。この際、図１３に示すように、第１のスロットイン挿入口２３から矢印ａ1 方向に水平に挿入されたＭＤカートリッジ１はそのままスロットイン方式でカートリッジホルダー４２の天板部４２ａの下部で、左右両側板部４２ｂ間に矢印ａ1 方向から水平に挿入されて、シャッター開蓋用小突起４４によってそのＭＤカートリッジ１のシャッター４が矢印ａ2 方向に開蓋されると共に、図７に１点鎖線で示すように、その挿入されるＭＤカートリッジ１によってイジェクトピン５０が矢印ａ1 方向に押され、イジェクトレバー４６がイジェクトバネ４９に抗して矢印ｃ1 方向に回転される。そして、ＭＤカートリッジ１がカートリッジホルダー４２内の定位置まで矢印ａ1 方向に挿入された時に、シャッター開蓋用小突起４４でＭＤカートリッジ１が停止され、これとほぼ同時に、ロックレバー４７がロックバネ５３によって矢印ｄ1 方向にスライドされて、ロックピン５４がイジェクトレバー４６の円弧状アーム４６ａの先端に矢印ｄ1 方向から係合して、そのイジェクトレバー４６が図７に１点鎖線で示した回転位置にそのままロックされる。そして、ロックレバー４７の矢印ｄ1 方向のスライド位置がＭＤインセンサー（図示せず）によって検出されて、ＭＤインが検出される。なお、カートリッジホルダー４２内に挿入されたＭＤカートリッジ１は左右一対のカートリッジ押え用板バネ４５によって左右両側板部４２ｂの下端縁上に上方から押圧されてそのまま保持される。
【００４１】
すると、ＭＤローディングモータ６４によってタイミングベルト６３を介してＭＤスライダー５７が矢印ａ1 方向にスライド駆動されて、カートリッジホルダー４２によってＭＤカートリッジ１が矢印ａ1 方向に引き込まれて、ＭＤカートリッジ１が第１のスロットイン挿入口２３から光ディスクドライブ２１の内部へ引き込まれてローディングセンターＰ11に沿って矢印ａ1 方向に水平にローディングされる。
【００４２】
そして、図１１及び図３２に１点鎖線で示すＭＤ、ＣＤ共通のチャッキングセンターＰ12までＭＤカートリッジ１がローディングされた時に、ＭＤスライダー５７のスライド位置がＭＤローディングセンサー（図示せず）によって検出されて、ＭＤローディングモータ６４が停止され、ＭＤローディング動作が終了する。
【００４３】
そして、後述するメカデッキ及びスピンドルモータ昇降装置１５２によってＭＤテーブル１１５がＭＤカートリッジ１内のＭＤ２の中心穴２ａ内に下方から装着されて、そのＭＤテーブル１１５によってＭＤ２がＭＤカートリッジ１内で回転駆動することができるようになる。
【００４４】
なお、ＭＤ２の後述する記録及び／又は再生後のイジェクト時には、使用者がイジェクトスイッチ２９をＯＮすると、ＭＤローディングモータ６４によってＭＤスライダー５７と一体にカートリッジホルダー４２が一度、図１４に示す退避位置まで矢印ａ1 方向にスライド駆動され、ＣＤメカシャーシ７２の下部に取り付けられているロック解除カム（図示せず）によって図７に示したロック解除ピン５５が矢印ｄ2 方向に駆動されて、ロックレバー４７がロックバネ５３に抗して矢印ｄ2 方向にスライド駆動される。
【００４５】
すると、ロックレバー４７のロックピン５４がイジェクトレバー４６の円弧状アーム４６ａから矢印ｄ2 方向に外されて、イジェクトレバー４６のロックが解除され、このイジェクトレバー４６がイジェクトバネ４９によって図７に１点鎖線で示す位置から実線で示す位置まで矢印ｃ2 方向に回転駆動される。そして、そのイジェクトレバー４７のイジェクトピン５０によってＭＤカートリッジ１が図１４に示すようにカートリッジホルダー４２から矢印ａ2 方向に一定量だけ押し出される。
【００４６】
そして、ロックレバー４７の矢印ｄ2 方向のスライド位置がセンサー（図示せず）によって検出されて、ＭＤローディングモータ６４が逆回転駆動されて、ＭＤスライダー５７と一体にカートリッジホルダー４２が図１３に示すイジェクト位置まで矢印ａ2 方向にスライド駆動されて、ＭＤカートリッジ１がフロントパネル２２の第１のスロットイン挿入口２３から外方へ矢印ａ2 方向に押し出される。この時、ＭＤカートリッジ１が予めカートリッジホルダー２４に対して矢印ａ2 方向に一定量だけ押し出されていることから、ＭＤカートリッジ１を前述した挿入時におけるフロントパネル２２の外方への突出量Ｌ1 よりも十分に大きな突出量Ｌ2 に突出させるように押し出すことができ、使用者はフロントパネル２２の外部で、その大きな突出量Ｌ2 に突出されたＭＤカートリッジ１を手で楽につまんで矢印ａ2 方向に容易に抜き取ることができる。
【００４７】
（３）・・・  ディスクテーブルに関する説明
次に、図２１〜図３５に示すように、ＭＤローディング装置４１及びＣＤローディング装置７１のＭＤカートリッジ１及びＣＤ１１のローディング経路の下部位置で、ＭＤ、ＣＤ共通のローディングセンターＰ11上におけるＭＤ、ＣＤ共通のチャッキングセンターＰ12の真下位置にスピンドルモータ１１１が上向きで垂直状に配置されていて、そのスピンドルモータ１１１のスピンドル１１２の上端の外周にディスクテーブル１１３が圧入等にて固着されている。そして、図２５及び図２９に示すように、このディスクテーブル１１３は合成樹脂等にて成形されていて、円柱状のディスクテーブル本体１１４の上端面に小径の第１のディスクテーブルであるＭＤテーブル１１５が水平状に一体成形され、そのディスクテーブル本体１１４の下端の外周に大径の第２のディスクテーブルであるＣＤテーブル１１６が水平状に一体成形されている。そして、ＭＤテーブル１１５上の中央部には小径のセンターリングガイド１１７が同心円形状に一体成形されいていて、そのセンターリングガイド１１７の内部には同心円形状のマグネット１１８が水平状に埋設されている。そして、ＭＤテーブル１１５の外周には面取り１１９が施されている。
【００４８】
従って、このディスクテーブル１１３には、円柱状のディスクテーブル本体１１４に小径のＭＤテーブル１１５と、大径のＣＤテーブル１１６の上下２段のディスクテーブルを一体成形した構造に構成されていて、１つのディスクテーブル１１３によって後述するように、ＭＤ２とＣＤ１１の２種類のディスク状記録媒体を選択的にチャッキングして回転駆動することができるように構成されている。
【００４９】
（４）・・・  チャッキングプーリに関する説明
次に、図２１及び図２２、図２４、図２８及び図２９に示すように、ＭＤローディング装置４１及びＣＤローディング装置７１のＭＤカートリッジ１及びＣＤ１１のローディング経路の上部位置で、ディスクテーブル１１３の真上位置にチャッキングプーリ１２１が垂直状に配置されている。そして、図２９に示すように、このチャッキングプーリ１２１は合成樹脂によって成形されていて、円筒状のチャッキングプーリ本体１２２の下端の外周にＣＤチャッキングフランジ１２３が水平状に一体成形されている。そして、チャッキングプーリ本体１２２の内部がディスクテーブル１１３のディスクテーブル本体１１４が下方から相対的に挿入される円筒状の挿入穴１２４に形成されていて、その挿入穴１２４の下端側には下方に向って末広がり形状のテーパー面１２５が形成されている。そして、チャッキングプーリ本体１２２の水平状に閉塞された上端部１２２ａ上の中央に一体成形された中心ピン１２６に円板状の上フランジ１２７が中心穴１２８によって嵌合されて水平に載置され、この上フランジ１２７と、挿入穴１２４内の上端部に水平状に組み込まれた環状のヨーク１２９がチャッキングプーリ本体１２２の上端部１２２ａを貫通する２本〜３本の止ネジ１３０によって共締め状態でその上端部１２２ａに水平状に固定されている。
【００５０】
そして、図１５、図２１及び図２２、図２４及び図２８に示すように、ＣＤメカシャーシ７２の上部にはチャッキングプーリ昇降装置１３１が取り付けられている。
即ち、まず、ＣＤメカシャーシ７２のチャッキングプーリ取付け位置に、ローディング方向に対して直交する方向に長く構成されたほぼ長方形状の凹所１３２がプレス加工等にて成形されていて、その凹所１３２の中央部に円形のチャッキングプーリ取付け穴１３３が形成されている（図１５参照）。そして、チャッキングプーリ１２１がそのチャッキングプーリ本体１２２によってチャッキングプーリ取付け穴１３３内に上下に貫通する状態で、かつ、十分な遊びを有する状態に貫通されて、ＣＤチャッキングフランジ１２３及び上フランジ１２７がその凹所１３２の上下に配置されていて、そのチャッキングプーリ１２１はＣＤメカシャーシ７２に対して上下方向である矢印ｈ1 、ｈ2 方向に昇降自在に構成されている。
【００５１】
そして、ＣＤメカシャーシ７２の凹所１３２内の上部には合成樹脂によって成形された左右一対のカムスライダー１３４、１３５が水平状に載置されていて、これら左右一対のカムスライダー１３４、１３５がこれらの下面にそれぞれ一体成形された各一対のガイド突起１３６及びガイドピン１３７によってＣＤメカシャーシ７２に形成されている各一対のガイド溝１３８、１３９にスライド自在に係合されて、これら左右一対のカムスライダー１３４、１３５が凹所１３２内でローディング方向に対して直交する方向である矢印ｅ1 、ｅ2 方向に対称状にスライド自在に構成されている。そして、これら左右一対のカムスライダー１３４、１３５がこれらの間に架け渡された引張コイルバネからなるスライド付勢手段であるカムスライダーバネ１４０によって相対的に近づく方向である矢印ｅ1 方向にスライド付勢されている。そして、これら左右一対のカムスライダー１３４、１３５の内側端の上部に平面形状がほぼＶ形で、断面側面形状が４５°前後に傾斜されたカム面１４１ａを有する左右一対のカム凸部１４１が左右対称形状に一体成形されていて、これら左右一対のカム凸部１４１のカム面１４１ａがチャッキングプーリ１２１の上フランジ１２７の下部で、チャッキングプーリ本体１２２の左右両側にカムスライダーバネ１４０によって矢印ｅ1 方向から相互に押圧されている。そして、左右一対のスライダーガイド７３、７４から内側へ一体に突出された左右一対の突片１４２、１４３に左右一対のピン挿入穴１４４が形成されていて、左右一対のカムスライダー１３４、１３５の外側の下部に配置されている左右一対のガイドピン１３７がこれら左右一対のピン挿入穴１４４内に矢印ｅ1 、ｅ2 方向に遊びを有する状態に挿入されている。
【００５２】
従って、このチャッキングプーリ昇降装置１３１によれば、左右一対のスライダーガイド７３、７４が図３０に示す最小間隔Ｓ1 又は中間間隔Ｓ2 の状態にある時には、図２１、図２２及び図２４に示すように、左右一対のカムスライダー１３４、１３５がカムスライダーバネ１４０によって矢印ｅ1 方向に対称状に近接されていて、これらの左右一対のカム凸部１４１のカム面１４１ａがチャッキングプーリ１２１のチャッキングプーリ本体１２２の左右両側に矢印ｅ1 方向から押圧されている。そして、これらのカム面１４１ａによってチャッキングプーリ１２１の上フランジ１２７が上方である矢印ｈ1 方向に平行状に押し上げられて、チャッキングプーリ１２１が上昇位置まで矢印ｈ1 方向に上昇された状態に保持されている。そして、この上昇状態で、チャッキングプーリ１２１の下端のＣＤチャッキングフランジ１２３はカートリッジホルダー４２の矢印ａ1 、ａ2 方向のスライドスペースよりも上方位置に引き上げられている。
【００５３】
そして、左右一対のスライダーガイド７３、７４が図３２に示す最大間隔Ｓ3 まで矢印ｅ2 方向に押し開かれると、図２８に示すように、これらの左右一対の突片１４２、１４３によって左右一対のカムスライダー１３４、１３５のガイドピン１３７が矢印ｅ2 方向に引っ張られて、これら左右一対のカムスライダー１３４、１３５がカムスライダーバネ１４０に抗して矢印ｅ2 方向に引き離される。すると、これらの左右一対のカム凸部１４１間の間隔が拡大されて、チャッキングプーリ１２１がＣＤ１１をディスクテーブル１１３のＣＤテーブル１１６上にチャッキングするための下降位置まで自重によって矢印ｈ2 方向に下降されるように構成されている。
【００５４】
（５）・・・  メカデッキ及びスピンドルモータ昇降装置に関する説明
次に、図９〜図１４、図２２〜図２９に示すように、ＭＤローディング装置４１及びＣＤローディング装置７１より下方位置に板金によって構成されたメカデッキ１５１が水平に配置されていて、そのメインシャーシ５８の底板部５８ａ上にメカデッキ１５１及びディスクテーブル１１３を上下方向である矢印ｈ1 、ｈ2 方向に昇降駆動するメカデッキ及びスピンドルモータ昇降装置１５２が取り付けられている。
【００５５】
まず、メカデッキ１５１は水平な天板部１５１ａと、その天板部１５１ａの左右両端縁から下方に垂直に折り曲げられた左右両側板部１５１ｂとによってほぼコ字状に形成されている。そして、メカデッキ及びスピンドルモータ昇降装置１５２はメインシャーシ５８の底板部５８ａ上に垂直状に取り付けられた左右一対のガイド板１５３、１５４と、メカデッキ１５１の左右両側板部１５１ｂと左右一対のガイド板１５３、１５４との間に垂直状に配置されて矢印ａ1 、ａ2 方向に対称状で同時にスライドされる左右一対のスライド板１５５、１５６と、左右一対のスライド板１５５、１５６を同時にスライド駆動する駆動機構１５７とによって構成されている。
【００５６】
そして、まず、メカデッキ１５１の天板部１５１ａの一方の側部の下部にローディング方向（矢印ａ1 、ａ2 方向）に間隔を隔てて配置された２本の昇降ガイド軸１６１が垂直状に取り付けられていて、合成樹脂によって成形されたスピンドルモータホルダー１６２がこれら２本の昇降ガイド軸１６１に沿って上下方向である矢印ｈ1 、ｈ2 方向に昇降自在に取り付けられている。そして、そのスピンドルモータホルダー１６２の下部にスピンドルモータ１１１がビス止め等にて上向きの垂直状に取り付けられていて、このスピンドルモータ１１１とそのスピンドル１１２に固定されているディスクテーブル１１３が２本の昇降昇降ガイド軸１６１に沿ってメカデッキ１５１に対して矢印ｈ1 、ｈ2 方向に昇降自在に構成されている。なお、１本の昇降昇降ガイド軸１６１の下端にはスピンドルモータ１１１の下降位置を規制するストッパー１６３が設けられている。
【００５７】
そして、メカデッキ１５１の天板部１５１ａにはディスクテーブル１１３のディスクテーブル本体１１４が上下に挿通されたディスクテーブル挿通穴１６４と、ＭＤ２及びＣＤ１１を記録及び／又は再生する手段である光学ピックアップ１６５の対物レンズ１６６が搭載されたキャリッジ１６７をスライドさせるための光学ピックアップ用開口１６８とが形成されている。この光学ピックアップ用開口１６８はディスクテーブル挿通穴１６４の垂直昇降ガイド軸１６１とは反対側のローディングセンターＰ11に対して直交する方向である矢印ｅ1 、ｅ2 方向に沿って横長状に形成されている。そして、光学ピックアップ１６５のキャリッジ１６７は天板部１５１ａの下部に取り付けられたキャリッジ移動機構（図示せず）によって光学ピックアップ用開口１６８に沿って矢印ｅ1 、ｅ2 方向に水平に移動されるように構成されている。そして、この天板部１５１ａの上部で、スピンドルモータ１１１の周囲にはＭＤカートリッジ１を位置決めするための前後一対の高さ基準ピン兼用の位置決め基準ピン１７０と、高さ基準ピン１７１が垂直状に取り付けられている。
【００５８】
そして、メカデッキ１５１の左右両側板部１５１ｂの両側に取り付けられた合計３つのガイドピン１７６が左右一対のガイド板１５３、１５４に形成された合計３つの垂直ガイド溝１７７内にそれぞれスライド自在に挿入されていて、メカデッキ１５１が左右一対のガイド板１５３、１５４に対して上下方向である矢印ｈ1 、ｈ2 方向にスライド自在に取り付けられている。そして、左右一対のガイド板１５３、１５４の内側に取り付けられた合計４つのガイドピン１７８に左右一対のスライド板１５５、１５６が合計４つの水平ガイド溝１７９によってスライド自在に挿入されていて、これら左右一対のスライド板１５５、１５６が左右一対のガイド板１５３、１５４に対して前後方向である矢印ａ1 、ａ2 方向にスライド自在に取り付けられている。
【００５９】
そして、メカデッキ１５１の左右両側板部１５１ｂに取り付けられた合計３つのガイドピン１７６が左右一対のスライド板１５５、１５６に形成された合計３つのカム溝１８０にスライド自在に挿入されていて、これらのカム溝１８１によってメカデッキ１５１が矢印ｈ1 、ｈ2 方向に平行運動によって水平に昇降駆動されるように構成されている。そして、これら３つのカム溝１８０の一方の端部にはオーバーストローク用水平溝１８１が接続されている。そして、左右一対のスライド板１５５、１５６は後述するように矢印ａ1 、ａ2 方向に対称状にスライド駆動される関係で、これらのカム溝１８０及びオーバーストローク用水平溝１８１は前後対称形状に構成されている。そして、前述したローディング装置の昇降ガイド軸６０側である内側に配置されて、スピンドルモータ１１１に近接されたスライド板１５５の内側に水平及び上方に向けてほぼコ字状に折り曲げられた垂直状のカム板１８２が設けられていて、このカム板１８２の端面に形成されたカム面１８３がスピンドルモータホルダー１６２の側面に取り付けられたコロ１８４を矢印ｈ1 、ｈ2 方向に昇降駆動するように構成されている。
【００６０】
そして、駆動機構１５７は、メインシャーシ５８の底板部５８ａ上に取り付けられた昇降駆動モータ１９１及びギアトレイン１９２と、支点ピン１９３を中心に矢印ｊ1 、ｊ2 方向に回転自在に構成された昇降駆動レバー１９４を備えていて、昇降駆動レバー１９４の一端側に円弧状に形成されたラック１９５を昇降駆動モータ１９１がギアトレイン１９２を介して回転駆動するように構成されている。そして、この昇降駆動レバー１９４の両端の上部に垂直状に取り付けられた左右一対の駆動ピン１９６、１９７が左右一対のスライド板１５５、１５６の下端の内側に直角で、水平状に形成された左右一対の係合片１９８、１９９の係合溝２００、２０１内にスライド自在に係合されている。
【００６１】
そして、図３６及び図３７に示すように、ＣＤ開放機構９１における開閉駆動機構１０２を構成している駆動レバー９９が外側に配置されているガイド板１５４の後端側（矢印ａ1 方向側）の上部に支点ピン１００を介して矢印ｆ1 、ｆ2 方向に水平に回転自在に取り付けられていて、外側のスライド板１５６の後端側の上部に一体に折り曲げられた駆動用突起１５６ａがベルクランク形状の駆動レバー９９の一端の下部に垂直状に取り付けられた被駆動ピン９９ａに矢印ａ2 方向から当接されるように構成され、その駆動レバー９９の他端９９ｂが前述したＣＤローディング装置７１のスライダーガイド７４の後端側の下部に垂直状に取り付けられた被駆動ピン１０１の内側に矢印ｅ2 方向から当接されるように構成されている。
【００６２】
ディスクテーブル１１３、チャッキングプーリ１２１、チャッキングプーリ昇降装置１３１、メカデッキ１５１、メカデッキ及びスピンドルモータ昇降装置１５２は以上のように構成されていて、前述したようにＭＤローディング装置４１及びＣＤローディング装置７１によって選択的にローディングされるＭＤ２及びＣＤ１１が次の要領でディスクテーブル１１３のＭＤテーブル１１５上及びＣＤテーブル１１６上に選択的にチャッキングされるように構成されている。
【００６３】
即ち、まず、ローディング開始前の状態では、メカデッキ及びスピンドルモータ昇降装置１５２の駆動機構１５７によって昇降駆動レバー１９４が図３６に１点鎖線で示す位置まで矢印ｊ2 方向に復帰されていて、左右一対の駆動ピン１９６、１９７を介して左右一対のスライド板１５５、１５６が図３６に１点鎖線で示す位置Ｐ21まで互いに反対方向である矢印ａ1 、ａ2 方向にスライド復帰されている。そして、この時には、図３３及び図３７に示すように、合計３つのガイドピン１７６が合計３つのカム溝１８０の下端まで滑り落ちていて、メカデッキ１５２が下降位置まで矢印ｈ2 方向に水平に下降されている。また、この時には、図３３に示すように、コロ１８４がカム板１８２のカム面１８３より矢印ａ1 方向に離間されていて、図２２に示すように、スピンドルモータ１１１及びディスクテーブル１１３がこれらの自重によって下降位置まで矢印ｈ2 方向に下降されて、スピンドルモータホルダー１６２が２本の昇降昇降ガイド軸１６１の下端のストッパー１６３に当接して停止されている。
【００６４】
従って、この時には、図２２に示すように、メカデッキ１５１及びスピンドルモータ１１１の両方が下降位置まで下降されていて、ディスクテーブル１１３はＭＤカートリッジ１及びＣＤ１１のローディング経路よりも下降された位置まで矢印ｈ2 方向に下降されている。また、この時には、チャッキングプーリ昇降装置１３１の左右一対のカムスライダー１３４、１３５がカムスライダーバネ１４０によって矢印ｅ1 方向から相対的に近接されている。そして、これら左右一対のカム凸部１４１によってチャッキングプーリ１２１がＭＤカートリッジ１及びＣＤ１１のローディング経路よりも上昇された位置まで矢印ｈ1 方向に上昇されている。
【００６５】
次に、前述したように、ＭＤローディング装置４１のカートリッジホルダー４２によって、ＭＤカートリッジ１が図１１、図２３〜図２５に示すように、ローディングセンターＰ11上のチャッキングセンターＰ12までローディングされて、ローディングセンサーによってそのＭＤカートリッジ１のローディングが終了したことが検出されると、図３６に示すように、メカデッキ及びスピンドルモータ昇降装置１５２における駆動機構１５７の昇降駆動モータ１９１によってギアトレイン１９２を介して円弧状ラック１９５が駆動されて、昇降駆動レバー１９４が１点鎖線で示す位置から矢印ｊ1 方向に回転駆動されている。そして、左右一対の駆動ピン１９６、１９７を介して左右一対のスライド板１５５、１５６が図３６に１点鎖線で示す位置Ｐ21から矢印ａ1 、ａ2 方向に対称状にスライド駆動され、これら左右一対のスライド板１５５、１５６の合計３つのカム溝１８０によってメカデッキ１５１が図２３〜図２５に示す上昇位置まで矢印ｈ1 方向に平行運動によって水平に上昇される。
【００６６】
即ち、この時のメカデッキ１５１の上昇駆動動作を図３３及び図３４によって一方のスライド板１５５について説明する。なお、他方のスライド板１５６はスライド方向が一方のスライド板１５５のスライド方向と反対方向であるが、カム溝１８０によるメカデッキ１５１の昇降駆動動作は同じであるので、以後は、一方のスライド板１５５についてのみ説明し、他方のスライド板１５６の説明は省略する。
【００６７】
つまり、このＭＤローディング終了後には、スライド板１５５が図３３に示す位置Ｐ21から図３４に示す位置Ｐ22まで矢印ａ1 方向に小さいストロークだけスライド駆動される。すると、合計３つの垂直ガイド溝１７７によって矢印ａ1 、ａ2 方向の移動が規制されている合計３つのガイドピン１７６が合計３つのカム溝１８０の下端から上端まで矢印ａ2 方向に相対的に滑り上がる。すると、メカデッキ１５１が図３３に示す下降位置から図３４に示す上昇位置まで平行運動によって矢印ｈ1 方向に水平に上昇される。そして、メカデッキ１５１上の各一対の位置決めピン１７０及び高さ基準ピン１７１上にＭＤカートリッジ１が矢印ｈ2 方向から相対的に係合されて、ＭＤカートリッジ１がメカデッキ１５１上に水平に位置決めされる。
【００６８】
すると、メカデッキ１５１と一体に２本の昇降昇降ガイド軸１６１も矢印ｈ1 方向に上昇されて、ストッパー１６３によってスピンドルモータ１６２が押し上げられて、スピンドルモータ１１１もメカデッキ１５１と一緒に図２２に示す下降位置から図２３〜図２５に示す第１段階の上昇位置まで小さい上昇ストロークだけ矢印ｈ1 方向に垂直に上昇される。そして、ディスクテーブル１１３の上端に形成されているＭＤテーブル１１５がカートリッジホルダー４２内に水平に保持されているＭＤカートリッジ１の下面に形成されているディスクテーブル挿入口５からそのＭＤカートリッジ１内に矢印ｈ1 方向に挿入される。
【００６９】
そして、図２５に示すように、ＭＤテーブル１１５のセンターリングガイド１１７がＭＤ２の中心穴２ａに矢印ｈ1 方向から嵌合されると共に、そのＭＤ２の中心穴２ａの上部に固着されているヨーク２ｂにＭＤテーブル１１５のマグネット１１８が近接される。すると、そのマグネット１１８によるヨーク２ｂの磁気吸引力によってＭＤ２がＭＤテーブル１１５上に水平にチャッキングされる。そして、この時、ＭＤ２はＭＤカートリッジ１内のほぼ中間位置までＭＤテーブル１１５によって矢印ｈ1 方向に押し上げられる。
【００７０】
以上は、要するに、ディスクテーブル１１３の上端のＭＤテーブル１１５をＭＤカートリッジ１内に、そのＭＤカートリッジ１のローディング方向（矢印ａ1 、ａ2 方向）に対して直交する矢印ｈ1 方向から選択的に挿入して、そのＭＤテーブル１１５上にＭＤ２をチャッキングする動作となる。そして、メカデッキ１５１が上昇位置まで上昇されたことによって、図２５に示すように、光学ピックアップ１６５のキャリッジ１６７に搭載されている対物レンズ１６６がＭＤカートリッジ１のヘッド挿入口３からＭＤ２の下面に近接される。
【００７１】
そこで、ＭＤ２のチャッキング後に、スピンドルモータ１１１によってディスクテーブル１１３と一体にＭＤ２を高速で回転駆動しながら、光学ピックアップ１６５のキャリッジ１６７によって対物レンズ１６６を矢印ｅ1 、ｅ2 方向にシークしながら、その対物レンズ１６６からＭＤ２の下面に照射されるレーザービームによってそのＭＤ２にデータの記録及び／又は再生を行うことになる。
【００７２】
この際、図２５に示すように、メカデッキ１５１の天板部１５１ａとディスクテーブル１１３の下端のＣＤテーブル１１６との間のスペースＳ11をキャリッジ１６７が余裕をもって入り込むことができる寸法に設定してあることから、キャリッジ１６７をＣＤテーブル１１６の上部位置まで矢印ｅ1 方向に自由に移動させることができて、ＭＤ２の最内周位置まで対物レンズ１６６によるデータの記録及び／又は再生を確実に行うことができる。
【００７３】
そして、ＭＤ２の記録及び／又は再生後は、図３６に示すように、メカデッキ及びスピンドルモータ昇降装置１５２の昇降駆動モータ１９１によって昇降駆動レバー１５４が１点鎖線で示す位置まで矢印ｊ2 方向に回転復帰され、左右一対のスライド板１５５、１５６が１点鎖線で示す位置まで矢印ａ1 、ａ2 方向にスライド復帰される。そして、前述した動作の逆動作で、メカデッキ１５１及びスピンドルモータ１１１が図２２に示す元の下降位置まで矢印ｈ2 方向に下降されて、ディスクテーブル１１３のＭＤテーブル１１５がＭＤ２から下方に離脱されてＭＤカートリッジ１よりも下方位置まで矢印ｈ2 方向に下降されることになる。
【００７４】
次に、前述したように、ＣＤローディング装置７１によって、ＣＤ１１が図１０、図１６、図１９、図２０、図２６〜図２９に示すように、ローディングセンターＰ11上のチャッキングセンターＰ12までローディングされて、ローディングセンサーによってそのＣＤ１１のローディングが終了したことが検出されると、ＭＤローディング終了後と同様に図３６に示すように、メカデッキ及びスピンドルモータ昇降装置１５２における駆動機構１５７の昇降駆動モータ１９１によって昇降駆動レバー１９４が１点鎖線で示す位置から矢印ｊ1 方向に回転駆動されて、左右一対のスライド板１５５、１５６が図３６に１点鎖線で示す位置Ｐ21から互いに反対方向である矢印ａ1 、ａ2 方向にスライド駆動される。
【００７５】
そして、この時も、図３３〜図３５によって一方のスライド板１５５について説明すると、このＣＤローディング終了後には、スライド板１５５が図３３に示す位置Ｐ21から図３４に示す位置Ｐ22を通過して、図３６に示す位置Ｐ23まで矢印ａ1 方向に大きいストロークだけスライド駆動される。すると、スライド板１５５が位置Ｐ21から位置Ｐ22までスライドされる間に、前述同様に、合計３つのガイドピン１７６が合計３つのカム溝１８０の下端から上端まで滑り上って、メカデッキ１５１が図３３に示す下降位置から図３４に示す上昇位置まで平行運動によって矢印ｈ1 方向に水平に上昇される。なお、この時、合計３つのガイドピン１７６は合計３つのカム溝１８０の上端まで滑り上った後に、合計３つのオーバーストローク用水平溝１８１内を矢印ａ1 、ａ2 方向に水平にスライドする。そして、スライド板１５５が位置Ｐ23までスライドされたことがセンサー（図示せず）によって検出されて昇降駆動モータ１９１が停止される。
【００７６】
しかし、この時には、スライド板１５５のスライドストロークが大きいことから、図２６、図２７及び図３５に示すように、スピンドルモータホルダー１６２のコロ１８４がカム板１８２のカム面１８３を矢印ａ2 方向に相対的に滑り上ってそのカム板１８３の上部まで押し上げられる。すると、図２７〜図２９に示すように、スピンドルモータホルダー１６２が２本の昇降昇降ガイド軸１６１に沿って上端まで矢印ｈ1 方向に上昇駆動されて、スピンドルモータホルダー１６２によってスピンドルモータ１１１がメカデッキ１５１に対して矢印ｈ1 方向に更に上昇されて、このスピンドルモータ１１１が図２６、図２７及び図３５に示す第２段階の上昇位置まで大きい上昇ストローク分矢印ｈ1 方向に垂直に上昇される。そして、ディスクテーブル１１３のディスクテーブル本体１１４が面取り部１１９によってＣＤ１１の中心穴１１ｂ内に矢印ｈ1 方向から挿入されて、下端に形成されているＣＤテーブル１１６上にＣＤ１１が水平に載置される。
【００７７】
そして、スライド板１５５が位置Ｐ23に達するのとほぼ同時に、図３６に示すように、ＣＤ開放機構９１における開放駆動機構１０２部分において、他方のスライド板１５６の駆動用突起１５６ａが駆動レバー９９の一端のピン９９ａに矢印ａ2 方向から当接して、その駆動レバー９９を矢印ｉ1 方向に回転駆動する。する。そして、その駆動レバー９９の他端９９ｂが他方のスライダーガイド７４の被駆動ピン１０１を矢印ｅ2 方向に押す。
【００７８】
すると、図３２に示すように、その他方のスライダーガイド７４及びＣＤスライダー８０がＣＤホールドバネ９０に抗して矢印ｅ2 方向にスライド駆動されると共に、ラック・ピニオン機構９８のラック９５がピニオン９７を矢印ｇ2 方向に回転駆動し、そのピニオン９７によってラック９４が矢印ｅ2 方向に駆動されて、一方のスライダーガイド７３及びＣＤスライダー７９が矢印ｅ2 方向に対称状にスライド駆動される。従って、左右一対のＣＤスライダー７９、８０の間隔がＣＤ１１の直径より大きな最大間隔Ｓ3 に自動的に拡大されて、これら左右一対のＣＤスライダー７９、８０によるＣＤ１１の挟持が解除され、ＣＤ１１がディスクテーブル１１３のＣＤテーブル１１６上に水平に載置される。
【００７９】
しかも、この時、図２７に示すように、矢印ｅ2 方向にスライド駆動された左右一対のスライダーガイド７３、７４の左右一対の突片１４２、１４３によって、図２８に示すように、チャッキングプーリ昇降装置１３１の左右一対のカムスライダー１３４、１３５のガイドピン１３７が矢印ｅ2 方向に引っ張られて、これら左右一対のカムスライダー１３４、１３５が矢印ｅ2 方向に相対的に引き離される。すると、チャッキングプーリ１２１が自重で矢印ｈ2 方向に下降して、その挿入穴１２４がテーパー面１２５によってディスクテーブル１１３のディスクテーブル本体１１４の外周に矢印ｈ2 方向から挿入される。そして、ディスクテーブル１１３のマグネット１１８がチャッキングプーリ１２１のヨーク１２９に近接されて、そのマグネット１１８によるヨーク１２９の磁気吸引力によってチャッキングプーリ１２１のＣＤチャッキングフランジ１２３がＣＤ１１をＣＤテーブル１１６上に水平にチャッキングされる。
【００８０】
以上は、要するに、ディスクテーブル１１３をＣＤ１１の中心穴１１ｂ内にローディング方向（矢印ａ1 、ａ2 方向）に対して直交する矢印ｈ1 方向から選択的に挿入して、そのＣＤテーブル１１６上にＣＤ１１をチャッキングする動作となる。そして、メカデッキ１５１が上昇位置まで上昇されたことによって、図２７に示すように、光学ピックアップ１６５がＣＤ１１の下面に近接される。そこで、このＣＤチャッキング後に、スピンドルモータモータ１１１によってディスクテーブル１１３と一体にＣＤ１１高速で回転駆動しながら、ＭＤ２と同様に、光学ピックアップ１６５によってＣＤ１１にデータの記録及び／又は再生を行うことになる。この際、光学ピックアップ１６５のキャリッジ１５１はＣＤテーブル１１６の外周位置でＣＤ１１に沿って矢印ｅ1 、ｅ2 方向にシークされることになる。
【００８１】
そして、ＭＤ２の記録及び／又は再生後は、図３６に示すように、メカデッキ及びスピンドルモータ昇降装置１５２の昇降駆動モータ１９１によって昇降駆動レバー１５４が１点鎖線で示す位置まで矢印ｊ2 方向に回転復帰され、左右一対のスライド板１５５、１５６が１点鎖線で示す位置まで矢印ａ1 、ａ2 方向にスライド復帰される。そして、前述した動作の逆動作で、まず、左右一対のスライダーガイド７３、７４及びＣＤスライダー７９、８０がＣＤホールドバネ９０によって矢印ｅ1 方向に相対的に引き寄せられて、ＣＤ１１が左右一対のＣＤスライダー７９、８０の凹溝８１、８２内に再び挟持された後、図２４に示すように、左右一対のカムスライダー１３４、１３５がカムスライダーバネ１４０によって矢印ｅ1 方向に相対的に引き寄せられて、これらのカム凸部１４１によってディスクテーブル１１３が上昇位置まで矢印ｈ1 方向に再び押し上げられる。そして、メカデッキ１５１及びスピンドルモータ１１１が図２２に示す元の下降位置まで矢印ｈ2 方向に下降されて、ディスクテーブル１１３のディスクテーブル本体１１４をＣＤ１１から下方に抜き取るようにして、ディスクテーブル１１３がＣＤ１１よりも下方位置まで矢印ｈ2 方向に下降されることになる。
【００８２】
以上、本発明の実施の形態について説明したが、本発明は上記した実施の形態に限定されることなく、本発明の技術的思想に基づいて各種の変更が可能である。例えば、上記した実施の形態では、第１のディスク状記録媒体としてＭＤカートリッジ等のディスクカートリッジを適用し、第２のディスク状記録媒体としてＣＤ等の裸のディスクを適用したが、本発明は各種のディスクカートリッジどうし、或いは各種の裸のディスクどうし、更には、各種のディスクカートリッジと裸のディスクを選択的に記録及び／又は再生する各種のディスク装置に適用可能である。
【００８３】
【発明の効果】
以上のように構成された本発明のディスクドライブは、次のような効果を奏する。
【００８４】
請求項１は、大きさが異なる第１及び第２の記録媒体を選択的にローディングすることができ、第２の記録媒体が選択的にローディングされる際には、退避機構によって第１のローディング手段を第２の記録媒体のローディング経路外へ退避させることができるようにしたので、装置全体の薄型化を達成できる。
【００８５】
請求項２は、記録媒体に記録される情報を読み取る読み取り手段を設けたメカデッキを備え、該メカデッキと駆動手段とを第１及び第２のローディング手段のローディング方向に対してほぼ直交する方向に出入りさせる手段を有するので、２種類の記録媒体を同一の記録及び／又は再生手段によって選択的に記録及び／又は再生することができる。
【００８６】
請求項３は、第１の記録媒体をディスクカートリッジで構成し、第２の記録媒体をディスクカートリッジより大径のディスクで構成したので、構造が異なる２種類の記録媒体を選択的に記録及び／又は再生することができる。
【００８７】
請求項４は、第２のローディング手段をローディング方向にスライドさせるスライド機構を備えているので、第２の記録媒体をローディングする際に、第１のローディング手段を第２の記録媒体の上方等へ退避させなくても良く、装置全体の薄型化をより一層促進できる。
【００８８】
請求項５は、第１の記録媒体と第２の記録媒体が挿入される挿入口が、第１の記録媒体と第２の記録媒体との挿入位置が同じ高さとなるように構成されているので、装置全体のの薄型化をより一層促進できる。
【図面の簡単な説明】
【図１】本発明を適用した光ディスクドライブの実施の形態におけるフロントパネルの第１及び第２の挿入口を説明するための斜視図である。
【図２】図１のフロントパネルにおけるＣＤ優先状態を説明する正面図である。
【図３】図１のフロントパネルにおけるＭＤ優先状態を説明する正面図である。
【図４】図２のＡ−Ａ矢視での断面平面図である。
【図５】図２のＢ−Ｂ矢視での断面側面図である。
【図６】同上のフロントパネルに取り付けられた挿入禁止手段の挿入禁止の解除を示した一部切欠き正面図である。
【図７】図６の挿入禁止手段の挿入禁止の解除手段を説明する一部切欠き平面図である。
【図８】図７の一部切欠き側面図である。
【図９】同上の光ディスクドライブの内部に設置されたＭＤローディング装置によるカートリッジホルダーの退避位置を説明する斜視図である。
【図１０】図９のカートリッジホルダーの退避状態でＣＤの記録及び／又は再生を行う様子を説明する斜視図である。
【図１１】ＭＤローディング装置によってローディングされたＭＤカートリッジのローディング完了状態を説明する斜視図である。
【図１２】ＭＤカートリッジのイジェクトの様子を説明する斜視図である。
【図１３】ＭＤローディング装置のカートリッジホルダー内へのＭＤカートリッジのスロットインを説明する斜視図である。
【図１４】ＭＤカートリッジのイジェクト途中で行われるカートリッジホルダーからのＭＤカートリッジの押し出し動作を説明する斜視図である。
【図１５】ＣＤメカシャーシを説明する斜視図である。
【図１６】ＣＤローディング装置を説明する斜視図である。
【図１７】同上のＣＤローディング装置へのＣＤのスロットインを説明する斜視図である。
【図１８】図１７を下方から見た斜視図である。
【図１９】同上のＣＤローディング装置によるＣＤのローディング完了状態を説明する斜視図である。
【図２０】図１９を下方から見た斜視図である。
【図２１】光ディスクドライブ全体の一部切欠き平面図である。
【図２２】図２１のフロントパネルを取り外した状態の正面図である。
【図２３】図２２のＭＤローディング装置を抜き出して示したＭＤローディング完了状態の正面図である。
【図２４】図２３のＭＤチャッキング状況を説明する一部切欠き正面図である。
【図２５】図２４の要部を拡大して示した一部切欠き正面図である。
【図２６】図２２のＣＤローディング装置を抜き出して示したＣＤローディング完了状態の正面図である。
【図２７】図２６のＣＤローディング装置におけるＣＤの挟持解除を示した正面図である。
【図２８】図７のＣＤチャッキング完了状態を示した一部切欠き正面図である。
【図２９】図２８の要部を拡大して示した一部切欠き正面図である。
【図３０】ＣＤローディング装置へのＣＤのスロットインを説明する平面図である。
【図３１】ＣＤローディング装置によるＣＤのローディング完了状態を示した平面図である。
【図３２】ＣＤローディング装置によるＣＤローディング完了後の挟持解除状態を示した平面図である。
【図３３】メカデッキ及びディスクテーブル昇降装置を説明する図３６でＣ−Ｃ矢視状態の一部切欠き側面図である。
【図３４】ＭＤローディング時における同上のメカデッキ及びディスクテーブル昇降装置の駆動状況を説明する図３３と同様の一部切欠き側面図である。
【図３５】ＣＤローディング時における同上のメカデッキ及びディスクテーブル昇降装置の駆動状況を説明する図３３と同様の一部切欠き側面図である。
【図３６】同上のメカデッキ及びディスクテーブル昇降装置を説明する平面図である。
【図３７】図３７のＤ−Ｄ矢視での一部切欠き側面図である。
【符号の説明】
１はディスクカートリッジであるＭＤカートリッジ、２は第１のディスク状記録媒体であるＭＤ、１１は第２のディスク状記録媒体であるＣＤ、２１はディスクドライブである光ディスクドライブ、４１はＭＤローディング装置、４２はカートリッジホルダー、５７はＭＤスライダー、７１はＣＤローディング装置、７３、７４はスライダーガイド、７９、８０はＣＤスライダー、１１１はスピンドルモータ、１１３はディスクテーブル、１１５は第１のディスクテーブルであるＭＤテーブル、１１６は第２のディスクテーブルであるＣＤテーブル、１５１はメカデッキ、１５２はメカデッキ及びディスクテーブル昇降手段であるメカデッキ及びディスクテーブル昇降装置である。
【図１】
0003834978.tif 000002
【図２】
0003834978.tif 000003
【図３】
0003834978.tif 000004
【図４】
0003834978.tif 000005
【図５】
0003834978.tif 000006
【図６】
0003834978.tif 000007
【図７】
0003834978.tif 000008
【図８】
0003834978.tif 000009
【図９】
0003834978.tif 000010
【図１０】
0003834978.tif 000011
【図１１】
0003834978.tif 000012
【図１２】
0003834978.tif 000013
【図１３】
0003834978.tif 000014
【図１４】
0003834978.tif 000015
【図１５】
0003834978.tif 000016
【図１６】
0003834978.tif 000017
【図１７】
0003834978.tif 000018
【図１８】
0003834978.tif 000019
【図１９】
0003834978.tif 000020
【図２０】
0003834978.tif 000021
【図２１】
0003834978.tif 000022
【図２２】
0003834978.tif 000023
【図２３】
0003834978.tif 000024
【図２４】
0003834978.tif 000025
【図２５】
0003834978.tif 000026
【図２６】
0003834978.tif 000027
【図２７】
0003834978.tif 000028
【図２８】
0003834978.tif 000029
【図２９】
0003834978.tif 000030
【図３０】
0003834978.tif 000031
【図３１】
0003834978.tif 000032
【図３２】
0003834978.tif 000033
【図３３】
0003834978.tif 000034
【図３４】
0003834978.tif 000035
【図３５】
0003834978.tif 000036
【図３６】
0003834978.tif 000037
【図３７】
0003834978.tif 000038